(57)【特許請求の範囲】
【請求項１】
光記録媒体の記録トラックに第１のレーザビームを照射するとともに、該記録トラックに隣接する２つのトラックにそれぞれ第２のレーザビームおよび第３のレーザビームを照射し、前記光記録媒体からの前記第１のレーザビームの反射光に対応する第１の信号から、前記第２のレーザビームの反射光に対応する第２の信号と第３のレーザビームの反射光に対応する第３の信号との和を所定の利得で増幅した第４の信号を減算した第５の信号に基づき前記記録トラックに記録されたピット−ランドパターンに対応する情報を再生する光情報再生装置におけるクロストーク低減方法において、
前記所定の利得を変化させて前記記録トラックに記録された所定のピット−ランドパターンにおける前記第５の信号のレベルを該利得毎に予め複数検出するとともに、
該検出した前記第５の信号のレベルの変動量が最小となる利得を最適利得として求め、
該求めた最適利得で前記所定の利得を設定する
ことを特徴とする光情報再生装置におけるクロストーク低減方法。
【請求項２】
前記変動量は、
各利得に対応する前記複数の第５の信号の最大レベルと最小レベルの比から求める
ことを特徴とする請求項１記載のクロストーク低減方法。
【請求項３】
前記変動量は、
各利得に対応する前記複数の第５の信号の最大レベルと最小レベルの差から求める
ことを特徴とする請求項１記載の光情報再生装置におけるクロストーク低減方法。
【請求項４】
前記変動量は、
各利得に対応する前記複数の第５の信号の標準偏差から求める
ことを特徴とする請求項１記載の光情報再生装置におけるクロストーク低減方法。
【請求項５】
前記所定のピット−ランドパターンは、
最小長ピットの両端を最大長ランドが挟むパターンである
ことを特徴とする請求項１記載の光情報再生装置におけるクロストーク低減方法。
【請求項６】
前記光記録媒体からの情報の再生に先立って該光記録媒体の所定の領域の記録トラックの情報の再生を行い、
該情報の再生に基づき前記最適利得を求めて該求めた最適利得で前記所定の利得を設定する
ことを特徴とする請求項１記載の光情報再生装置におけるクロストーク低減方法。
【請求項７】
光記録媒体の記録トラックに第１のレーザビームを照射するとともに、該記録トラックに隣接する２つのトラックにそれぞれ第２のレーザビームおよび第３のレーザビームを照射し、前記光記録媒体からの前記第１のレーザビームの反射光に対応する第１の信号から、前記第２のレーザビームの反射光に対応する第２の信号と第３のレーザビームの反射光に対応する第３の信号との和を所定の利得で増幅した第４の信号を減算した第５の信号に基づき前記記録トラックに記録されたピット−ランドパターンに対応する情報を再生する光情報再生装置において、
前記所定の利得を変化させて前記記録トラックに記録された所定のピット−ランドパターンにおける前記第５の信号のレベルを該利得毎に予め複数検出する検出手段と、
前記検出手段で検出した前記第５の信号のレベルの変動量が最小となる利得を最適利得として求め、該求めた最適利得で前記所定の利得を設定する利得設定手段と
を具備することを特徴とする光情報再生装置。
【発明の詳細な説明】
【０００１】
【発明の属する技術分野】
この発明は、光情報再生装置におけるクロストーク低減方法および光情報再生装置に関し、特にトラック間クロストークを低減させる光情報再生装置におけるクロストーク低減方法および光情報再生装置に関する。
【０００２】
【従来の技術】
一般に、光情報再生装置において、光記録媒体の記録密度を上げるためには、トラック間隔を狭めることが行われるが、この場合、隣接するトラックからのトラック間クロストークが問題となる。
【０００３】
図４は、このトラック間クロストークを低減するために、従来の光情報再生装置が具備するクロストーク低減回路の概略構成を示すブロック図である。
【０００４】
通常、この種のクロストーク低減回路は、光記録媒体の所望のトラックを照射するメインビームと該所望のトラックのトラック方向左右の位置を該メインビームと前後して照射する２本のサブビームの計３本のレーザビームを光記録媒体に照射する光学系を有して構成される。
【０００５】
図４において、フォトディテクタ１０７は、上記の光学系の構成要素であり、メインビームの反射光を受光する受光領域Ａと２本のサブビームの反射光をそれぞれに受光する受光領域Ｂおよび受光領域Ｃの少なくとも３つの受光領域を有する。
【０００６】
クロストーク低減回路２は、受光領域Ａ、Ｂ、Ｃがそれぞれに出力する受光信号の３本のレーザビームがトラック方向に前後して照射されることによって生じる検出時間点のずれを補正する遅延回路２３ａ、２３ｂ、遅延回路２３ｂから出力される受光領域Ｂの受光信号と受光領域Ｃの受光信号とを加算する加算器２１ｂ、加算器２１ｂから出力される信号を増幅する増幅回路２４、増幅回路２４から出力される信号を遅延回路２３ａから出力される受光領域Ａの受光信号から減算する引算器２２ｃとを具備して構成され、受光領域Ａから出力される受光信号に含まれる所望のトラックの隣接両隣のトラックからのクロストーク成分を低減するように動作する。
【０００７】
【発明が解決しようとする課題】
ところが、上記従来のクロストーク低減回路において、増幅回路２４の利得は個々の光情報再生装置に固有の一定値に設定されているため、任意の光記録媒体に対して最適な増幅回路２４の利得を設定することができなかった。
【０００８】
そこで、この発明は、任意の光記録媒体に対して増幅回路２４の利得を最適値に設定できる方法を提供し、トラック間クロストークを低減して再生信号の品位の向上を図ることを目的とする。
【０００９】
【課題を解決するための手段】
上述した目的を達成するため、この発明は、光記録媒体の記録トラックに第１のレーザビームを照射するとともに、該記録トラックに隣接する２つのトラックにそれぞれ第２のレーザビームおよび第３のレーザビームを照射し、前記光記録媒体からの前記第１のレーザビームの反射光に対応する第１の信号から、前記第２のレーザビームの反射光に対応する第２の信号と第３のレーザビームの反射光に対応する第３の信号との和を所定の利得で増幅した第４の信号を減算した第５の信号に基づき前記記録トラックに記録されたピット−ランドパターンに対応する情報を再生する光情報再生装置におけるクロストーク低減方法において、前記所定の利得を変化させて前記記録トラックに記録された所定のピット−ランドパターンにおける前記第５の信号のレベルを該利得毎に予め複数検出するとともに、該検出した前記第５の信号のレベルの変動量が最小となる利得を最適利得として求め、該求めた最適利得で前記所定の利得を設定することを特徴とする。
【００１０】
このような方法により、第５の信号に含まれる隣接トラックからのクロストーク成分（符号間干渉）の量が一定となるため、第５の信号のレベルの変動量は、隣接トラックからのクロストーク成分そのものとなり、容易かつ有効にトラック間クロストークを低減することができる。
【００１１】
なお、前記変動量は、例えば次の３つの方法で求めることができる。
【００１２】
１） 各利得に対応する第５の信号の最大レベルと最小レベルの比から求める。
【００１３】
２） 各利得に対応する第５の信号の最大レベルと最小レベルの差から求める。
【００１４】
３） 各利得に対応する第５の信号の標準偏差から求める。
【００１５】
因みに、この第１の信号の標準偏差は、再生信号のジッタに対応している。
【００１６】
また、前記所定のピット−ランドパターンは、最小長ピットの両端を最大長ランドが挟むパターンであることが好ましい。なぜなら、クロストークの影響を最も受けやすい最小長ピットに対応する信号を、同一トラックの隣接ピットからのクロストーク（符号間干渉）成分による影響が最も少ない状態で抽出することができるからである。
【００１７】
なお、上記のクロストーク低減方法は、前記光記録媒体からの情報の再生に先立って該光記録媒体の所定の領域の記録トラックの情報の再生を行い、該情報の再生に基づき前記最適利得を求めて該求めた最適利得で前記所定の利得を設定することを特徴とする。
【００１８】
また、この発明は、光記録媒体の記録トラックに第１のレーザビームを照射するとともに、該記録トラックに隣接する２つのトラックにそれぞれ第２のレーザビームおよび第３のレーザビームを照射し、前記光記録媒体からの前記第１のレーザビームの反射光に対応する第１の信号から、前記第２のレーザビームの反射光に対応する第２の信号と第３のレーザビームの反射光に対応する第３の信号との和を所定の利得で増幅した第４の信号を減算した第５の信号に基づき前記記録トラックに記録されたピット−ランドパターンに対応する情報を再生する光情報再生装置において、前記所定の利得を変化させて前記記録トラックに記録された所定のピット−ランドパターンにおける前記第５の信号のレベルを該利得毎に予め複数検出する検出手段と、前記検出手段で検出した前記第５の信号のレベルの変動量が最小となる利得を最適利得として求め、該求めた最適利得で前記所定の利得を設定する利得設定手段とを具備することを特徴とする。
【００１９】
【発明の実施の形態】
以下、この発明に係わる光情報再生装置におけるクロストーク低減方法および光情報再生装置の一実施形態を添付図面を参照して詳細に説明する。
【００２０】
なお、光情報再生装置の一例として光ディスク再生装置について説明する。
【００２１】
図２は、クロストーク低減回路を具備する光ディスク再生装置において一般的に使用される光ピックアップの概略構成を示すブロック図である。
【００２２】
通常、この種の光ピックアップは、１本のメインビームおよび２本のサブビームの計３本のレーザビームを射出するようにその光学系が構成されており、例えば、３つのレーザダイオードにより３本のレーザビームを生成する構成、若しくは、１つのレーザダイオードから射出された１本のレーザ光を回折格子により少なくとも３本のレーザビームに分割して生成する構成が知られている。この実施の形態においては、より一般的な、１つのレーザダイオードから射出された１本のレーザ光を回折格子により少なくとも３本のレーザビームに分割する構成の光学系を適用して説明する。
【００２３】
レーザダイオード１０１より射出された１本のレーザビームは、コリメータレンズ１０２により平行光となり、回折格子１０３に入射して、メインビームとして用いられる０次回折光およびサブビームとして用いられる±１次回折光の少なくとも３本のレーザ光に分割される。この回折格子１０３により分割された光束は、ビームスプリッタ１０４を透過し、対物レンズ１０５を経て光ディスク４の記録面上に収束し、０次回折光および±１次回折光によって直線的かつ等間隔に並んだ３つのビームスポットを記録面上に形成する。記録面で反射された０次回折光および±１次回折光は、その光学特性中に記録面に記録されていた情報を含み、再び対物レンズ１０５に入射して平行光となり、ビームスプリッタ１０４で９０度方向に反射され、集光レンズ１０６を経てフォトディテクタ１０７に結像する。
【００２４】
図３は、光ディスク４の記録トラック（以下、トラックと称す）と、光ピックアップから射出される３本のレーザビームが光ディスク４上に集光して形成するビームスポット、および各ビームスポットが光ディスク４から読み取る信号との関係を示したものである。
【００２５】
図３において、信号再生用の０次回折光によるビームスポットｍは、光ディスクの所望のトラック４Ａ上に配置される。＋１次回折光によるビームスポットｓ１はトラック４Ａに隣接する外周側のランド上に配置され、−１次回折光によるビームスポットｓ２はトラック４Ａに隣接する内周側のランド上に配置される。
【００２６】
また、ビームスポットｓ１およびｓ２は、相互の干渉を除くために、ビームスポットｍに対してトラック方向前後にそれぞれ距離ｄだけ離れて配置され、この配置のために生じるそれぞれのビームスポットのフォトディテクタ１０７上における検出時間点のずれは、遅延回路２３ａ、２３ｂによって補正される。つまり、遅延回路２３ａから出力される信号Ｓａおよび遅延回路２３ｂから出力される信号Ｓｂは、３つのビームスポットの最後尾を走査するビームスポットｓ２が位置する同一半径ライン上の位置ｍ'およびｓ１'においてビームスポットｍおよびビームスポットｓ１が読み取った信号である。
【００２７】
さて、高密度化のために光ディスク４のトラックピッチを狭くすると、ビームスポットｍの一部が所望のトラック４Ａの隣接外側のトラック４Ｂおよび隣接内側のトラック４Ｃにも漏れ込み、したがって、０次回折光が光ディスク４から読み取る信号Ｓａは、トラック４Ａに記録された所望の信号ｍＡの他に、トラック４Ｂおよびトラック４Ｃに記録された信号ｍＢおよび信号ｍＣを含み（Ｓａ＝ｍＡ＋ｍＢ＋ｍＣ）、この信号ｍＢおよび信号ｍＣがクロストーク成分となって、所望の信号ｍＡの品位を低下させる要因となる。
【００２８】
同様に、光ディスク４のトラックピッチを狭くすると、ビームスポットｓ１の一部はトラック４Ａおよびトラック４Ｂに漏れ込み、ビームスポットｓ２の一部はトラック４Ａおよびトラック４Ｃに漏れ込む。したがって、＋１次回折光が光ディスク４から読み取る信号Ｓｂは、トラック４Ａおよびトラック４Ｂに記録された信号ｓＡおよび信号ｓＢを含み（Ｓｂ＝ｓＡ＋ｓＢ）、−１次回折光が光ディスク４から読み取る信号ｓＣは、トラック４Ａおよびトラック４Ｃに記録された信号ｓＡおよび信号ｓＣを含む（Ｓｃ＝ｓＡ＋ｓＣ）。
【００２９】
そこで、この±１次回折光が読み取った信号ＳｂおよびＳｃを利用して以下の演算を実行することにより、０次回折光が読み取った信号Ｓａに含まれるクロストーク成分を低減することができる。
【００３０】
Ｓａ−ｋ（Ｓｂ＋Ｓｃ）
＝（ｍＡ＋ｍＢ＋ｍＣ）−ｋ｛（ｓＡ＋ｓＢ）＋（ｓＡ＋ｓＣ）｝  …（１）
なお、（１）式は、次のように変形される。
【００３１】
Ｓａ−ｋ（Ｓｂ＋Ｓｃ）
＝（ｍＡ＋ｍＢ＋ｍＣ）−ｋ（２×ｓＡ＋ｓＢ＋ｓＣ）
＝（ｍＡ−２ｋ×ｓＡ）＋｛ｍＢ＋ｍＣ−ｋ（ｓＢ＋ｓＣ）｝      …（２）
したがって、（２）式においてクロストーク成分を示す項である｛ｍＢ＋ｍＣ−ｋ（ｓＢ＋ｓＣ）｝の絶対値を最小にするｋの値を見つけることにより、所望の信号ｍＡの品位を確保することができる。
【００３２】
図１は、この発明に係るクロストーク低減回路の一実施例を示す概略ブロック図である。
【００３３】
図１において、図４と同じ参照数字を付したものは図４と同じ構成要素を示すので説明を省略する。なお、クロストーク低減回路２は、（１）式を電気的に実現するものである。
【００３４】
このクロストーク低減回路２は、利得制御回路３を具備し、光ディスク４からの情報の再生に先立って、利得可変増幅回路２４の利得を調整するために、光ディスク４の所定の領域のトラックの情報を再生するテスト再生を行なう。
【００３５】
図４は、利得制御回路３の動作を説明するフローチャートであり、図４を参照して利得可変増幅回路２４の利得の調整方法を説明する。
【００３６】
光ディスク４が挿入されると、利得制御回路３は、可変利得増幅回路２４の利得をＫ１に設定し（ステップ３０１、３０２）、テスト再生を開始する。再生信号Ｓ中に１４Ｔランド−３Ｔピット−１４Ｔランドに対応する信号パターン（以下、Ｌ１４−Ｐ３−Ｌ１４）を検出すると（ステップ３０３）、この信号パターンにおける３Ｔピットに対応する信号（以下、Ｐ３信号）の信号レベルＳ１を検出する（ステップ３０４）。利得制御回路３は、利得Ｋ１において、Ｌ１４−Ｐ３−Ｌ１４が検出される度にＰ３信号の信号レベルを検出することをＮ回繰り返し（ステップ３０３〜３０７）、この繰り返しの中で検出されるＮ個のＰ３信号の信号レベルを利得Ｋ１に対応させて記憶する（ステップ３０６）。
【００３７】
次に、利得Ｋ１に対して検出されたＮ個のＰ３信号のレベルの変動量Ｃ１を求める（ステップ３０８）。ここで、Ｎ個のＰ３信号のレベルの変動量は、例えば１）  Ｎ個のＰ３信号のうちの最もレベルの大きい信号Ｓｍａｘと最もレベルの小さい信号Ｓｍｉｎとの差。
【００３８】
２）  Ｎ個のＰ３信号のうちの最もレベルの大きい信号Ｓｍａｘと最もレベルの小さい信号Ｓｍｉｎとの比。
【００３９】
３） Ｎ個のＰ３信号の標準偏差。
【００４０】
から求めることができ、どれを採用しても構わない。
【００４１】
次に、利得制御回路３は、可変利得増幅回路２４の利得をＫ２、Ｋ３、…、ＫＭと変化させながら上記のステップを繰り返し、各々の利得に対するＮ個のＰ３信号の信号レベルの変動量Ｃ２、Ｃ３、…、ＣＫを算出する（ステップ３０２〜３１０）。
【００４２】
図５は、利得制御回路３が有する記憶領域の一例を示す図である。
【００４３】
図５に示すように、利得制御回路３は、図４に示すフローチャートのステップ３０２〜３１０を繰り返すことにより、利得Ｋｊに対して検出したＮ個のＰ３信号のレベルＳ１ｊ〜ＳＮｊおよびその変動量Ｃｊを順次記憶する。
【００４４】
最後に、利得制御回路３は、算出されたＮ個のレベル変動量Ｃ１〜ＣＮの中から、最も値の小さい変動量Ｃｊを与える利得Ｋｊを、光ディスク４に最適な利得Ｋｏｐｔとして検出し（ステップ３１１）、この利得Ｋｏｐｔを利得可変増幅回路２４の利得Ｋとして設定し（ステップ３１２）、テスト再生を終了する。
【００４５】
上記のような方法によると、所定のピット−ランドパターン（１４Ｔランド−３Ｔピット−１４Ｔランド）から所定の信号（３Ｔピット）を抽出するため、この所定の信号（３Ｔピット）が含む前後のピットからのクロストーク成分、すなわち符号間干渉の成分がほぼ一定となる。つまり、所定の信号（３Ｔピット）の信号レベルを変動させる要因がトラック間クロストークに限定され、したがって、この変動量を最小とする利得可変増幅回路２４の利得Ｋの値を見つけることで、再生信号系列Ｓが含むトラック間クロストーク成分を十分に低減することができる。
【００４６】
なお、上記の実施例では、光ディスク再生装置におけるクロストーク低減方法について説明したが、このクロストーク低減方法は、例えば光カード読取装置などの光情報再生装置一般に適用できる。
【００４７】
【発明の効果】
以上説明したように、この発明によれば、光記録媒体の記録トラックに第１のレーザビームを照射するとともに、該記録トラックに隣接する２つのトラックにそれぞれ第２のレーザビームおよび第３のレーザビームを照射し、前記光記録媒体からの前記第１のレーザビームの反射光に対応する第１の信号から、前記第２のレーザビームの反射光に対応する第２の信号と第３のレーザビームの反射光に対応する第３の信号との和を所定の利得で増幅した第４の信号を減算した第５の信号に基づき前記記録トラックに記録されたピット−ランドパターンに対応する情報を再生する光情報再生装置において、前記所定の利得を変化させて前記記録トラックに記録された所定のピット−ランドパターンにおける前記第５の信号のレベルを該利得毎に予め複数検出するとともに、該検出した前記第５の信号のレベルの変動量が最小となる利得を最適利得として求め、該求めた最適利得で前記所定の利得を設定するように構成したので、任意の光ディスクに対して効果的にトラック間クロストークを低減することができる。
【図面の簡単な説明】
【図１】この発明に係るクロストーク低減回路の一実施形態を示すブロック図である。
【図２】この発明に係る光ピックアップの概略構成を示すブロック図である。
【図３】この発明の基本原理を説明する図である。
【図４】図１の利得制御回路３の動作の一例を示すフローチャートである。
【図５】図１の利得制御回路３の記憶領域の一例を示す図である。
【図６】従来の光情報記憶装置におけるクロストーク低減回路の回路構成を示すブロック図である。
【符号の説明】
２    クロストーク低減回路
３    利得制御回路
４    光ディスク
４Ａ、４Ｂ、４Ｃ    トラック
２１ａ、２１ｂ    加算器
２２ｃ    引算器
２３ａ、２３ｂ    遅延回路
２４    利得可変増幅回路
１０１    レーザダイオード
１０２    コリメータレンズ
１０３    回折格子
１０４    ビームスプリッタ
１０５    対物レンズ
１０６    集光レンズ
１０７    フォトディテクタ
【図１】
0003824127.tif 000002
【図２】
0003824127.tif 000003
【図３】
0003824127.tif 000004
【図４】
0003824127.tif 000005
【図５】
0003824127.tif 000006
【図６】
0003824127.tif 000007